(57)【要約】【課題】構造の簡素化を図りつつ、多様なシャワーの噴射形態を実現する。【解決手段】シャワー設備１００は、浴室２に設置されたシャワーホース１０３に着脱自在に装着されるシャワーヘッド１０１と、浴室２に配置される支持体１１および支持体１１に設けられたシャワーアーム４３Ａ，４３Ｂを備え、シャワーホース１０３が着脱自在に装着されるシャワーシステム１と、を備える。【選択図】図１
2019202129.tif 000002
【特許請求の範囲】
【請求項１】
浴室に設置されたシャワーホースに着脱自在に装着されるシャワーヘッドと、
前記浴室に配置される支持体および前記支持体に設けられたシャワーアームを備え、前記シャワーホースが着脱自在に装着されるシャワーシステムと、を備えるシャワー設備。
【請求項２】
前記シャワーヘッドは、前記シャワーホースに直接、装着される第１シャワーヘッドを備える請求項１に記載のシャワー設備。
【請求項３】
前記シャワーホースおよび前記シャワーシステムそれぞれに着脱自在に装着される切換え弁を備え、
前記シャワーヘッドは、前記切換え弁を介して前記シャワーホースに着脱自在に装着される第２シャワーヘッドを備え、
前記切換え弁は、前記シャワーホースからの給水を、前記シャワーシステムと前記第２シャワーヘッドとの間で切り替える請求項１または２に記載のシャワー設備。
【請求項４】
浴室に設置されたシャワーホースに装着される切換え弁と、
前記浴室に配置される支持体および前記支持体に設けられたシャワーアームを備え、前記切換え弁が装着されるシャワーシステムと、
前記切換え弁を介して前記シャワーホースに装着される第２シャワーヘッドと、を備え、
前記切換え弁は、前記シャワーホースからの給水を、前記シャワーシステムと前記第２シャワーヘッドとの間で切り替えるシャワー設備。
【請求項５】
前記シャワーシステムと前記切換え弁とを接続する接続ホースを更に備える請求項３または４に記載のシャワー設備。
【請求項６】
前記切換え弁のレバーの先端部の方向が給水方向と一致する請求項３から５のいずれか１項に記載のシャワー設備。
【請求項７】
前記シャワーシステムは、前記支持体に設けられ前記第２シャワーヘッドを取り外し可能に保持するシャワーフックを備える請求項３から６のいずれか１項に記載のシャワー設備。
【請求項８】
前記支持体が移動可能である請求項１から７のいずれか１項に記載のシャワー設備。
【発明の詳細な説明】
【技術分野】
【０００１】
本発明は、シャワー設備に関する。
【背景技術】
【０００２】
従来から、例えばシャワー浴などに用いられるシャワーシステムとして、下記特許文献１に記載の構成が知られている。このシャワーシステムは、椅子にシャワー機能が一体に設けられている。
【先行技術文献】
【特許文献】
【０００３】
【特許文献１】特開平９−１２２０３５号公報
【発明の概要】
【発明が解決しようとする課題】
【０００４】
前記従来のシャワーシステムでは、構造の簡素化を図りつつ、多様なシャワーの噴射形態を実現することが望まれている。
【０００５】
本発明は、前述した事情に鑑みてなされたものであって、構造の簡素化を図りつつ、多様なシャワーの噴射形態を実現することを目的とする。
【課題を解決するための手段】
【０００６】
前記課題を解決するために、本発明は以下の手段を提案している。
本発明に係るシャワー設備は、浴室に設置されたシャワーホースに着脱自在に装着されるシャワーヘッドと、前記浴室に配置される支持体および前記支持体に設けられたシャワーアームを備え、前記シャワーホースが着脱自在に装着されるシャワーシステムと、を備える。
【０００７】
シャワーホースにシャワーヘッドを装着させた状態で、シャワーホースからシャワーヘッドに給水することで、シャワーヘッドからシャワーを噴射させることができる。この場合、例えば、シャワーヘッドからのシャワーによって身体を洗うこと等ができる。
シャワーホースをシャワーシステムに装着させた状態で、シャワーホースからシャワーシステムに給水することで、シャワーアームからシャワーを噴射させることができる。この場合、例えば、シャワーアームからのシャワーによってシャワー浴をすること等ができる。
以上のように、シャワーホースをシャワーヘッドやシャワーシステムに着脱させ、シャワーホースからシャワーヘッドやシャワーシステムに給水することで、多様な噴射形態のシャワーを利用することができる。このとき、共通のシャワーホースを採用するので、シャワー設備の構造の簡素化を図ることができる。
【０００８】
前記シャワーヘッドは、前記シャワーホースに直接、装着される第１シャワーヘッドを備えてもよい。
【０００９】
第１シャワーヘッドからシャワーを噴射させるときには、第１シャワーヘッドをシャワーホースに直接、装着させ、シャワーホースから第１シャワーヘッドに給水することができる。その後、シャワーアームからシャワーを噴射させるときには、第１シャワーヘッドをシャワーホースから取り外し、シャワーホースをシャワーシステムに付け替えて、シャワーホースからシャワーシステムに給水することができる。
以上のように、シャワーの噴射形態の切り替えを、シャワーホースの着脱により実現することが可能になり、シャワー設備の利便性を向上させることができる。例えば、身体を洗った後、シャワー浴を実施する場合には、第１シャワーヘッドからシャワーを噴射させた後、シャワーホースを第１シャワーヘッドからシャワーシステムに速やかに付け替えることで、シャワーシステムから冷水が噴射されるのを防止することができる。
【００１０】
前記シャワーホースおよび前記シャワーシステムそれぞれに着脱自在に装着される切換え弁を備え、前記シャワーヘッドは、前記切換え弁を介して前記シャワーホースに着脱自在に装着される第２シャワーヘッドを備え、前記切換え弁は、前記シャワーホースからの給水を、前記シャワーシステムと前記第２シャワーヘッドとの間で切り替えてもよい。
本発明に係るシャワー設備は、浴室に設置されたシャワーホースに装着される切換え弁と、前記浴室に配置される支持体および前記支持体に設けられたシャワーアームを備え、前記切換え弁が装着されるシャワーシステムと、前記切換え弁を介して前記シャワーホースに装着される第２シャワーヘッドと、を備え、前記切換え弁は、前記シャワーホースからの給水を、前記シャワーシステムと前記第２シャワーヘッドとの間で切り替える。
【００１１】
第２シャワーヘッドからシャワーを噴射させるときには、切換え弁をシャワーホースに装着させた状態で、シャワーホースから切換え弁を通して第２シャワーヘッドに給水することができる。その後、シャワーアームからシャワーを噴射させるときには、切換え弁をシャワーシステムに装着させた状態で、シャワーホースからの給水を、切換え弁によって第２シャワーヘッドからシャワーシステムに切り替える。これにより、シャワーホースから切換え弁を通してシャワーシステムに給水することができる。
以上のように、シャワーの噴射形態の切り替えを、切換え弁の切換えにより実現することが可能になり、シャワー設備の利便性を向上させることができる。例えば、身体を洗った後、シャワー浴を実施する場合には、第２シャワーヘッドからシャワーを噴射させた後、切換え弁によってシャワーホースからの給水を第２シャワーヘッドからシャワーシステムに速やかに切り替えることで、シャワーシステムから冷水が噴射されるのを防止することができる。
【００１２】
前記シャワーシステムと前記切換え弁とを接続する接続ホースを更に備えてもよい。
【００１３】
接続ホースが、シャワーシステムと切換え弁とを接続する。したがって、例えば、接続ホースを変形させる等して、切換え弁がシャワーシステムに対して上方に位置するように切換え弁を配置することができる。これにより、シャワーシステムからシャワーの噴射を終えた後、切換え弁内などに残留する水を、その自重によって接続ホースを通してシャワーアームから外部に排出することができる。その結果、例えば、シャワーシステムの再度の利用時などにおいて、前述の水を起因として意図せず冷水が噴射すること等を防止することができる。
【００１４】
前記切換え弁のレバーの先端部の方向が給水方向と一致してもよい。
【００１５】
切換え弁のレバーの先端部の方向が給水方向と一致することで、シャワーヘッドとシャワーシステムの給水の切り替えがわかりやすくなり、例えば冷水を被介助者にいきなりかけてしまうようなことを防止することができる。
【００１６】
前記シャワーシステムは、前記支持体に設けられ前記第２シャワーヘッドを取り外し可能に保持するシャワーフックを備えてもよい。
【００１７】
シャワーシステムがシャワーフックを備えることで、第２シャワーヘッドを支持体にかけることができる。これにより入浴介助の場面において介助者が何度も浴室壁に取り付けられているシャワーフックに移動する必要がなくなる。また、上記効果により介助者は常に被介助者の近い位置を保持した状態で入浴介助を行え、緊急の場合にも対応することが可能になる。
【００１８】
前記支持体が移動可能であってもよい。
【００１９】
支持体が移動可能である。これにより介助者が被介助者を洗体するときに、介助者が支持体を被介助者の近くに移動させることで、浴室内で被介助者が支持体まで移動する必要がなくなる。そのため、例えば、被介助者が、浴室内で滑るのを抑えることができる。
【発明の効果】
【００２０】
本発明によれば、構造の簡素化を図りつつ、多様なシャワーの噴射形態を実現することができる。
【図面の簡単な説明】
【００２１】
【図１】本発明の第１実施形態のシャワー設備を説明する図である。
【図２】図１に示すシャワー設備が備えるシャワーシステムにおいて、両シャワーアームが使用状態のときの斜視図である。
【図３】図２に示すシャワーシステムの側面図である。
【図４】図２に示すシャワーシステムの正面図である。
【図５】図２に示すシャワーシステムにおいて、両シャワーアームが退避状態のときの側面図である。
【図６】図５に示すシャワーシステムの正面図である。
【図７】図２にシャワーシステムにおいて、両シャワーアームが跳ね上げ状態のときの側面図である。
【図８】図２に示すシャワーシステムを用いて使用者がシャワーを浴びている状態を説明する斜視図である。
【図９】本発明の第２実施形態のシャワー設備を説明する図である。
【図１０】本発明の第３実施形態のシャワー設備を説明する図である。
【図１１】本発明の第４実施形態のシャワー設備を説明する図である。
【図１２】シャワーフックの斜視図である。
【図１３】図１２に示すシャワーフックの平面図である。
【図１４】図１２に示すシャワーフックの側面図である。
【図１５】図２に示すシャワーシステムの変形例を、椅子とともに使用する状態を示す斜視図である。
【図１６】図１５に示すシャワーシステムを、椅子を使わずに使用する状態を示す斜視図である。
【図１７】図１５に示すシャワーシステムを、浴槽に使用する状態を示す斜視図である。
【図１８】図１５に示すシャワーシステムの変形例を示す斜視図である。
【発明を実施するための形態】
【００２２】
（第１実施形態）
以下、図１から図８を参照し、本発明の第１実施形態に係るシャワー設備１００を説明する。
図１に示すように、シャワー設備１００は、浴室２に設置されたシャワーホース１０３に着脱自在に装着されるシャワーヘッド１０１と、シャワーホース１０３が着脱自在に装着されるシャワーシステム１と、を備えている。
【００２３】
シャワーホース１０３は、浴室２の混合水栓５（水栓）に設けられている。シャワーホース１０３は、浴室２に予め設けられている既設の構成である。
シャワーホース１０３の先端部には、第１コネクタ１０３ａが設けられている。第１コネクタ１０３ａは、シャワーホース１０３の先端部に、シャワーホース１０３と実質的に分離不能に設けられていてもよく、シャワーホース１０３から分離可能に設けられていてもよい。
【００２４】
シャワーヘッド１０１は、シャワーホース１０３に直接、装着される第１シャワーヘッド１０４を備えている。第１シャワーヘッド１０４の基端部には、第２コネクタ１０４ａが設けられている。第２コネクタ１０４ａは、第１コネクタ１０３ａに着脱自在に装着される。第２コネクタ１０４ａは、第１シャワーヘッド１０４の基端部に、第１シャワーヘッド１０４と実質的に分離不能に設けられていてもよく、第１シャワーヘッド１０４から分離可能に設けられていてもよい。
【００２５】
シャワーシステム１は、浴室２に配置される支持体としての椅子１１と、椅子１１に設けられ支持されたシャワー装置４１と、を備えている。
例えば、身体機能が低下した高齢者などにとって、浴室２における浴槽３の内外の移動が困難な場合がある。この場合、浴槽３内で温浴するのに代えて、浴室２における洗い場でシャワーによって身体を温めるシャワー浴を実施することがある。シャワー浴を実施するに際し、シャワーシステム１を利用することで、例えば、第１シャワーヘッド１０４を利用する場合に比べて、身体を温め易くすることができる。
【００２６】
椅子１１には、公知の浴用椅子を用いることができる。椅子１１は、浴室等でも使用可能なように、耐水性を有することが好ましい。例えば、椅子１１は、脚部１２と、座部１３と、背もたれ部１４と、肘掛け１５と、を備えている。椅子１１は、樹脂とアルミなどの金属とからできている。
以下では、図２に示すように、椅子１１に座る使用者Ｐにとっての左右方向（第１方向）Ｘ、前後方向（第２方向）Ｙを基準にして説明する。左右方向Ｘは、水平面に沿う方向である。前後方向Ｙは、水平面に沿い、かつ左右方向Ｘに直交する方向である。左右方向Ｘの一方側が右側Ｘ１であり、左右方向Ｘの他方側が左側Ｘ２である。前後方向Ｙの一方側が前方Ｙ１であり、前後方向Ｙの他方側が後方Ｙ２である。
【００２７】
シャワー装置４１は、本体４２と、第１シャワーアーム（第１腕部）４３Ａ及び第２シャワーアーム（第２腕部）４３Ｂと、接続部４４と、を備えている。なお、図２に示すシャワーアーム４３Ａ，４３Ｂは、後述する使用状態Ｐ１Ａ，Ｐ１Ｂである。
本体４２は、背もたれ部１４に着脱可能であり、背もたれ部１４に対して上下方向Ｚに移動可能である。
【００２８】
本体４２の内部には、図示しない通水路が設けられている。通水路の一端は流入口であり、通水路の他端は流出口である。流入口は本体４２に後面に設けられている。通水路は流入口から流出口に向けて分岐しており、通水路の途中には２又分岐が設けられている。流出口はシャワーアーム４３Ａ，４３Ｂにつながっている。
前記流入口には接続部４４が設けられている。接続部４４は、本体４２に設けられている。接続部４４は、シャワーホース１０３が着脱可能に接続されるコネクタである。接続部４４は、例えば、第２コネクタ１０４ａと同種のコネクタにより形成することができる。接続部４４は、本体４２の後面に固定されている。接続部４４には、シャワーホース１０３を介して外部から水Ｗが供給される。接続部４４に供給された水Ｗは、本体４２内（通水路内）を通して、シャワーアーム４３Ａ，４３Ｂに供給される。なお、本明細書における水Ｗは、温度が高い、低いによらない一般的な水のことを意味し、常温の水、及びシャワー等に用いられる温度の湯等を含む意味である。
【００２９】
シャワーアーム４３Ａ，４３Ｂは、鈍角で曲がるへの字状の管体であり、シャワーアーム４３Ａ，４３Ｂの内部には、軸方向に沿って通水路が形成されている。シャワーアーム４３Ａ，４３Ｂは、本体４２を左右方向Ｘに挟むように配置されている。第１シャワーアーム４３Ａは本体４２の右側Ｘ１に配置され、第２シャワーアーム４３Ｂは本体４２の左側Ｘ２に配置されている。
図２から図４に示すように、第１シャワーアーム４３Ａは、先端部材（先端部）４６Ａと、連結部材（連結部）４７Ａと、基端部材（基端部）４８Ａと、を備えている。
【００３０】
先端部材４６Ａは、先端部が封止された管状に形成されている。先端部材４６Ａは、例えば、アクリロニトリル・ブタジエン・スチレン樹脂（ＡＢＳ）樹脂、ポリプロピレン（ＰＰ）樹脂等の比較的硬質の材料で形成されている。先端部材４６Ａは、前方Ｙ１に向かうに従い漸次、下方に向かうように傾斜している。図８に示すように、先端部材４６Ａには、先端部材４６Ａの壁部を貫通する吐出孔５０Ａが形成されている。吐出孔５０Ａは、先端部材４６Ａの内部、すなわち通水路に供給された水Ｗを外部に吐出する。
【００３１】
図２から図４に示すように、連結部材４７Ａは、円筒状に形成され、前方Ｙ１と上方との間の向きに向かって凸となるように湾曲している。連結部材４７Ａは、例えば、エラストマー、軟質ウレタン、ゴム等の比較的軟質の材料で一体に形成されている。
基端部材４８Ａは、管状に形成されている。基端部材４８Ａには、先端部材４６Ａと同様に吐出孔５０Ａが形成されていることが好ましい。基端部材４８Ａは、例えば、先端部材４６Ａと同一の材料で形成されている。
【００３２】
上記第１シャワーアーム４３Ａでは連結部材４７が屈曲形状であり、第１シャワーアーム４３Ａの全体がＬ字状に折れた形状である。また、先端部材４６Ａ及び基端部材４８Ａよりも、連結部材４７Ａの方が柔らかく、変形させやすい。
【００３３】
第１シャワーアーム４３Ａの構成と第２シャワーアーム４３Ｂの構成とは、シャワーアーム４３Ａ，４３Ｂの間に左右方向Ｘに直交するように規定される基準面に対して面対称である。第２シャワーアーム４３Ｂのうち第１シャワーアーム４３Ａに対応する構成を、第１シャワーアーム４３Ａと同一の数字に、英大文字「Ａ」に代えて英大文字「Ｂ」を付加することで示す。これにより、第２シャワーアーム４３Ｂについて、第１シャワーアーム４３Ａと重複する説明を省略する。
【００３４】
図２に示すように、第２シャワーアーム４３Ｂは、第１シャワーアーム４３Ａの先端部材４６Ａ、連結部材４７Ａ、基端部材４８Ａと面対称に構成された先端部材４６Ｂ、連結部材４７Ｂ、基端部材４８Ｂを備えている。
シャワーアーム４３Ａ，４３Ｂの基端部材４８Ａ，４８Ｂ間の距離は、使用者Ｐの肩幅程度の長さであることが好ましい。
【００３５】
第１シャワーアーム４３Ａは、本体４２に対して軸線７０Ａ周りに回転可能に支持されている。軸線７０Ａは、図４に示すシャワーシステム１の正面視において、上方に向かうに従い漸次、右側Ｘ１に向かうように傾斜している。
第２シャワーアーム４３Ｂは、本体４２に対して軸線７０Ｂ周りに回転可能に支持されている。軸線７０Ｂは、図４に示すシャワーシステム１の正面視において、上方に向かうに従い漸次、左側Ｘ２に向かうように傾斜している。
【００３６】
軸線７０Ａ，７０Ｂは、上方に向かうに従い互いに離間するように、上下方向Ｚに対して互いに逆方向に傾いている。言い換えれば、軸線７０Ａ，７０Ｂは、上下方向Ｚに沿う基準線Ｌ３に対して互いに逆方向に傾いている。例えば、基準線Ｌ３と軸線７０Ａとが上方になす角度θＡは、６０°程度である。
【００３７】
図２から図４に示すシャワーアーム４３Ａ，４３Ｂは使用状態Ｐ１Ａ，Ｐ１Ｂである。図４に示す正面視において、シャワーアーム４３Ａ，４３Ｂが使用状態Ｐ１Ａ，Ｐ１Ｂであるときに、シャワーアーム４３Ａ，４３Ｂはそれぞれ上下方向Ｚに沿って延びるように配置されている。また、図３に示すように、使用状態Ｐ１Ａ，Ｐ１Ｂであるシャワーアーム４３Ａ，４３Ｂは、椅子１１の背もたれ部１４よりも、前方Ｙ１に向かって延びるように配置されている。図８に示すように、シャワーアーム４３Ａ，４３Ｂの吐出孔５０Ａ，５０Ｂは、シャワーアーム４３Ａ，４３Ｂが使用状態Ｐ１Ａ，Ｐ１Ｂであるときに、水Ｗが後方Ｙ２と下方との間の斜めの向き等に吐出するように形成されている。
【００３８】
シャワーアーム４３Ａ，４３Ｂは、使用状態Ｐ１Ａ，Ｐ１Ｂにおいて、自身の位置（軸線７０Ａ，７０Ｂ周りの回転角度）を保持可能に構成されている。シャワーアーム４３Ａ，４３Ｂは、使用状態Ｐ１Ａ，Ｐ１Ｂにおいて更なる軸線７０Ａ，７０Ｂ周りの回転力が自身に加えられたときに、位置の保持が解除されて他の状態に移行する。
【００３９】
シャワーアーム４３Ａ，４３Ｂが使用状態Ｐ１Ａ，Ｐ１Ｂのときから、シャワーアーム４３Ａ，４３Ｂの先端部材４６Ａ，４６Ｂが下がると、シャワーアーム４３Ａ，４３Ｂは図５及び図６に示す退避状態Ｐ０Ａ，Ｐ０Ｂになる。退避状態Ｐ０Ａ，Ｐ０Ｂであるときのシャワーアーム４３Ａ，４３Ｂは、使用者Ｐがシャワーアーム４３Ａ，４３Ｂを使用しないときの状態である。
図６に示すように、退避状態Ｐ０Ａ，Ｐ０Ｂであるときのシャワーアーム４３Ａ，４３Ｂは、下方に向かうに従い漸次、互いに左右方向Ｘに離間するように配置されている。シャワーアーム４３Ａ，４３Ｂは、全体としてハ字状（上下を逆にしたＶ字状）である。第１シャワーアーム４３Ａは、下方に向かうに従い漸次、右側Ｘ１に向かうように傾斜している。一方で、第２シャワーアーム４３Ｂは、下方に向かうに従い漸次、左側Ｘ２に向かうように傾斜している。
【００４０】
一方で、シャワーアーム４３Ａ，４３Ｂが使用状態Ｐ１Ａ，Ｐ１Ｂのときから、シャワーアーム４３Ａ，４３Ｂの先端部材４６Ａ，４６Ｂが上がると、図７に示す跳ね上げ状態Ｐ２Ａ，Ｐ２Ｂになる。跳ね上げ状態Ｐ２Ａ，Ｐ２Ｂは、使用者Ｐが使用状態Ｐ１Ａ，Ｐ１Ｂで使用していたシャワーアーム４３Ａ，４３Ｂの先端部材４６Ａ，４６Ｂを上方に移動させた（跳ね上げた）状態である。
【００４１】
次に、以上のように構成されたシャワー設備１００の使用方法について説明する。なお以下に示す使用方法は一例であり、他の方法により使用することもできる。
【００４２】
シャワーヘッド１０１からシャワーを噴射するときには、シャワーホース１０３に第１シャワーヘッド１０４を取り付ける。混合水栓５から温水を第１シャワーヘッド１０４に供給し、第１シャワーヘッド１０４からシャワーを噴射させる。
【００４３】
その後、シャワーシステム１からシャワーを噴射するときには、シャワーホース１０３をシャワーシステム１に接続する。このとき、第１コネクタ１０３ａと第２コネクタ１０４ａとを分離させ、第１シャワーヘッド１０４をシャワーホース１０３から取り外す。その後、第１コネクタ１０３ａを接続部４４に接続し、シャワーホース１０３をシャワーシステム１に接続する。
【００４４】
以下では、シャワーシステム１の使用方法の一例について説明する。なお以下に示す使用方法は一例であり、他の方法により使用することもできる。
【００４５】
予め、シャワー装置４１は椅子１１に取付けられている。シャワーアーム４３Ａ，４３Ｂは、退避状態Ｐ０Ａ，Ｐ０Ｂになっている。図６に示すように、退避状態Ｐ０Ａ，Ｐ０Ｂであるシャワーアーム４３Ａ，４３Ｂは、正面視において、基端部材４８Ａ，４８Ｂから下方に向かうに従い漸次互いに左右方向Ｘに離間するように配置されているため、シャワーアーム４３Ａ，４３Ｂが椅子１１の一対の肘掛け１５を左右方向Ｘの外側に避けやすい。
【００４６】
使用者Ｐは、シャワーホース１０３から出る水Ｗの温度を、例えば３５℃〜４０℃程度の所望の温度に設定する。シャワーホース１０３から流れ出る水Ｗは、当初は１５℃〜２５℃程度の常温である。シャワーホース１０３から流れ出る水Ｗは、シャワーホース１０３、接続部４４、本体４２内を通して、シャワーアーム４３Ａ，４３Ｂに供給され、吐出孔５０Ａ，５０Ｂから外部に吐出する。退避状態Ｐ０Ａ，Ｐ０Ｂでのシャワーアーム４３Ａ，４３Ｂの吐出孔５０Ａ，５０Ｂは後方Ｙ２を向いているため、常温の水Ｗが使用者Ｐに掛かることが抑制される。
【００４７】
使用者Ｐは椅子１１に座る。一定の時間が経過すると、吐出孔５０Ａ，５０Ｂから吐出する水Ｗの温度が所望の温度になる。
図８に示すように、使用者Ｐは、シャワーアーム４３Ａ，４３Ｂの先端部材４６Ａ，４６Ｂを上げて、シャワーアーム４３Ａ，４３Ｂを使用状態Ｐ１Ａ，Ｐ１Ｂにする。シャワーアーム４３Ａ，４３Ｂの連結部材４７Ａ，４７Ｂが柔らかい場合には、使用者Ｐはシャワーアーム４３Ａ，４３Ｂの基端部材４８Ａ，４８Ｂを持ち上げてもよい。
【００４８】
使用者Ｐは、シャワーアーム４３Ａ，４３Ｂの吐出孔５０Ａ，５０Ｂから吐出する水Ｗを浴び、シャワーを浴びる。なお、使用者Ｐは、シャワーアーム４３Ａ，４３Ｂを退避状態Ｐ０Ａ，Ｐ０Ｂにして、自身の身体を洗ってもよい。この際に、シャワーアーム４３Ａ，４３Ｂが退避状態Ｐ０Ａ，Ｐ０Ｂであるため、シャワーアーム４３Ａ，４３Ｂが身体を洗う作業の支障になりにくい。
使用者Ｐは、シャワーを浴び終えると、シャワーアーム４３Ａ，４３Ｂを退避状態Ｐ０Ａ，Ｐ０Ｂにし、混合水栓５を閉じる。
【００４９】
仮に、シャワーアーム４３Ａ，４３Ｂを使用状態Ｐ１Ａ，Ｐ１Ｂにしてシャワーを浴びている使用者Ｐが、緊急事態が発生したためにシャワーシステム１からとっさに脱出する場合には、以下の手順を行う。
使用者Ｐは、手等により、使用状態Ｐ１Ａ，Ｐ１Ｂであるシャワーアーム４３Ａ，４３Ｂを持ち上げる（跳ね上げる）。使用者Ｐはシャワーアーム４３Ａ，４３Ｂにほぼ干渉することなく椅子１１から立ち上がり、シャワーシステム１から脱出する。また、使用者Ｐがシャワーシステム１から脱出する際に、シャワーアーム４３Ａ，４３Ｂの連結部材４７Ａ，４７Ｂを変形させ、先端部材４６Ａ，４６Ｂを所望の方向に曲げてもよい。
以上のように、緊急事態が発生した場合でも、使用者Ｐはシャワーシステム１から容易に脱出することができる。
【００５０】
なお、前述のシャワーシステム１やシャワーホース１０３の混合水栓５を操作する使用者Ｐは、実際にシャワーを浴びてシャワーシステム１を使用する使用者Ｐ（以下、実際の使用者Ｐと言う）に限定されず、実際の使用者Ｐの補助者としてシャワーシステム１を使用する介助者であってもよい。すなわち、実際の使用者Ｐがシャワーシステム１等を操作するのが困難である場合には、介助者がシャワーシステム１の操作等を行う。
【００５１】
以上説明したように、本実施形態に係るシャワー設備１００によれば、シャワーホース１０３にシャワーヘッド１０１を装着させた状態で、シャワーホース１０３からシャワーヘッド１０１に給水することで、シャワーヘッド１０１からシャワーを噴射させることができる。この場合、例えば、シャワーヘッド１０１からのシャワーによって身体を洗うこと等ができる。
シャワーホース１０３をシャワーシステム１に装着させた状態で、シャワーホース１０３からシャワーシステム１に給水することで、シャワーアーム４３Ａ，４３Ｂからシャワーを噴射させることができる。この場合、例えば、シャワーアーム４３Ａ，４３Ｂからのシャワーによってシャワー浴をすること等ができる。
以上のように、シャワーホース１０３をシャワーヘッド１０１やシャワーシステム１に着脱させ、シャワーホース１０３からシャワーヘッド１０１やシャワーシステム１に給水することで、多様な噴射形態のシャワーを利用することができる。このとき、共通のシャワーホース１０３を採用するので、シャワー設備１００の構造の簡素化を図ることができる。
【００５２】
第１シャワーヘッド１０４からシャワーを噴射させるときには、第１シャワーヘッド１０４をシャワーホース１０３に直接、装着させ、シャワーホース１０３から第１シャワーヘッド１０４に給水することができる。その後、シャワーアーム４３Ａ，４３Ｂからシャワーを噴射させるときには、第１シャワーヘッド１０４をシャワーホース１０３から取り外し、シャワーホース１０３をシャワーシステム１に付け替えて、シャワーホース１０３からシャワーシステム１に給水することができる。
以上のように、シャワーの噴射形態の切り替えを、シャワーホース１０３の着脱により実現することが可能になり、シャワー設備１００の利便性を向上させることができる。例えば、身体を洗った後、シャワー浴を実施する場合には、第１シャワーヘッド１０４からシャワーを噴射させた後、シャワーホース１０３を第１シャワーヘッド１０４からシャワーシステム１に速やかに付け替えることで、シャワーシステム１から冷水が噴射されるのを防止することができる。
【００５３】
（第２実施形態）
次に、本発明の第２実施形態に係るシャワー設備２００を、図９を参照して説明する。
なお、この第２実施形態においては、第１実施形態における構成要素と同一の部分については同一の符号を付し、その説明を省略し、異なる点についてのみ説明する。
【００５４】
シャワー設備２００は、シャワーホース１０３およびシャワーシステム１それぞれに着脱自在に装着される切換え弁２０１を更に備えている。切換え弁２０１には、第１コネクタ１０３ａおよび第２コネクタ１０４ａが設けられている。切換え弁２０１の第１コネクタ１０３ａは、シャワーシステム１の接続部４４（第２コネクタ１０４ａ）に着脱自在に装着される。切換え弁２０１の第２コネクタ１０４ａは、シャワーホース１０３の第１コネクタ１０３ａに着脱自在に装着される。
【００５５】
シャワーヘッド１０１は、第１シャワーヘッド１０４に加えて、第２シャワーヘッド１０５を備えている。第２シャワーヘッド１０５は、切換え弁２０１に延長ホース２０３を介して接続されている。第２シャワーヘッド１０５は、延長ホース２０３および切換え弁２０１を介してシャワーホース１０３に着脱自在に装着される。
切換え弁２０１は、シャワーホース１０３からの給水を、シャワーシステム１と第２シャワーヘッド１０５との間で切り替える。本実施形態では、切換え弁２０１にはレバー２０２が設けられている。使用者Ｐはレバー２０２を操作することで給水を切り替える。
【００５６】
以上説明したように、本実施形態に係るシャワー設備２００によれば、第２シャワーヘッド１０５からシャワーを噴射させるときには、切換え弁２０１をシャワーホース１０３に装着させた状態で、シャワーホース１０３から切換え弁２０１を通して第２シャワーヘッド１０５に給水することができる。その後、シャワーアーム４３Ａ，４３Ｂからシャワーを噴射させるときには、切換え弁２０１をシャワーシステム１に装着させた状態で、シャワーホース１０３からの給水を、切換え弁２０１によって第２シャワーヘッド１０５からシャワーシステム１に切り替える。これにより、シャワーホース１０３から切換え弁２０１を通してシャワーシステム１に給水することができる。
以上のように、シャワーの噴射形態の切り替えを、切換え弁２０１の切換えにより実現することが可能になり、シャワー設備２００の利便性を向上させることができる。例えば、身体を洗った後、シャワー浴を実施する場合には、第２シャワーヘッド１０５からシャワーを噴射させた後、切換え弁２０１によってシャワーホース１０３からの給水を第２シャワーヘッド１０５からシャワーシステム１に速やかに切り替えることで、シャワーシステム１から冷水が噴射されるのを防止することができる。さらに例えば、被介助者がシャワー浴を行なう場合は、シャワーシステム１に給水し、介助者が被介助者の洗体を行なうときは、介助者がレバー２０２を切り替え、第２シャワーヘッド１０５へ給水してもよい。
【００５７】
（第３実施形態）
次に、本発明の第３実施形態に係るシャワー設備３００を、図１０を参照して説明する。
なお、この第３実施形態においては、第２実施形態における構成要素と同一の部分については同一の符号を付し、その説明を省略し、異なる点についてのみ説明する。
【００５８】
シャワー設備３００は、シャワーシステム１と切換え弁２０１とを接続する接続ホース３０１を更に備えている。接続ホース３０１の両端部には、第１コネクタ１０３ａおよび第２コネクタ１０４ａが設けられている。接続ホース３０１の第１コネクタ１０３ａは、シャワーシステム１の接続部４４（第２コネクタ１０４ａ）に着脱自在に装着される。接続ホース３０１の第２コネクタ１０４ａは、切換え弁２０１の第１コネクタ１０３ａに着脱自在に装着される。切換え弁２０１は、シャワーシステム１（接続部４４、本体４２、シャワーアーム４３Ａ，４３Ｂ）よりも上方に位置している。
【００５９】
以上説明したように、本実施形態に係るシャワー設備３００によれば、接続ホース３０１が、シャワーシステム１と切換え弁２０１とを接続する。したがって、例えば、接続ホース３０１を変形させる等して、切換え弁２０１がシャワーシステム１に対して上方に位置するように切換え弁２０１を配置することができる。これにより、シャワーシステム１からシャワーの噴射を終えた後、切換え弁２０１内などに残留する水Ｗを、その自重によって接続ホース３０１を通してシャワーアーム４３Ａ，４３Ｂから外部に排出することができる。その結果、例えば、シャワーシステム１の再度の利用時などにおいて、前述の水Ｗを起因として意図せず冷水が噴射すること等を防止することができる。
【００６０】
（第４実施形態）
次に、本発明の第４実施形態に係るシャワー設備４００を、図１１から図１４を参照して説明する。
なお、この第４実施形態においては、第２実施形態における構成要素と同一の部分については同一の符号を付し、その説明を省略し、異なる点についてのみ説明する。
【００６１】
シャワー設備４００では、シャワーシステム１が、背もたれ部１４から上側に伸びている支柱１６と、支柱１６に取り付けられるシャワーフック４０１と、を備えている。支柱１６の上端には、本体４２が直接取り付けられている。シャワーフック４０１には、第２シャワーヘッド１０５を不使用時にかけておくことが可能である。
【００６２】
シャワーフック４０１は、介助者がしやすい位置に調整できるように、支柱１６に対して取り外しが可能である。
シャワーフック４０１をシャワーシステム１に取り付けることで、第２シャワーヘッド１０５をシャワーシステム１にかけることができる。これにより、例えば、浴室２でシャワーシステム１を用いた入浴介助の場面において、介助者がいちいち浴室壁のシャワーフックまで移動しなくてよくなる。また、切換え弁２０１があることで、給水の切換えについてもシャワーシステム１付近で行えるため、入浴介助中は浴室壁の水栓側に移動する必要がなくなり、利便性が向上する。介助者は常に被介助者の近い位置を保持した状態で入浴介助を行え、緊急の場合にも対応することが可能になる。また、常に使用者の手元にシャワーヘッド１０１を備えておくことができるので、被介助者が１人の状態でも介助入浴ができる。
【００６３】
図１２に示すように、シャワーフック４０１は、支柱１６に上下動自在に固定できる固定部４０２と、第２シャワーヘッド１０５が取り付けられる取り付け部４０３と、を備えている。
図１３に示すように、固定部４０２、取り付け部４０３は、それぞれ支柱１６と第２シャワーヘッド１０５を取り付ける取り付け孔４０４ａ、４０４ｂを備えている。また固定部４０２は、一対の弾性片４０５によって形成されている。
【００６４】
図１３、図１４に示すように、固定部４０２の内周は、支柱１６と取り付け孔４０４ａ
が硬く係合できるよう、割リング状に形成されている。使用者は、固定部４０２を支柱１６に対して着脱する際に、固定部４０２を弾性変形させ、取り付け孔４０４ａを拡げる。拡がった取り付け孔４０４ａの形は元に戻る。つまり、取り付け孔４０４ａに支柱１６が嵌まっている状態で、弾性片４０５は弾性変形している。
取り付け部４０３には、延長ホース２０３の端部２０３ａを介して第２シャワーヘッド１０５が取り付けられる。取り付け部４０３の内周は、延長ホース２０３の端部２０３ａの太さの変化に沿って、その半径を小さくするような割リング状に形成されている。これにより、取り付け孔４０４ｂに取り付けられる第２シャワーヘッド１０５が、その重さによって滑り落ちないように係合できる。
【００６５】
シャワーシステム１は、切換え弁２０１に備わっているレバー２０２の先端部の方向が給水方向と一致するようになっていることが望ましい。
レバー２０２を用いると、第２シャワーヘッド１０５とシャワーシステム１の給水の切換えがわかりやすくなる。これにより、例えば、冷水を被介助者にいきなりかけてしまうようなことを防止することができる。
【００６６】
切換え弁２０１は、レバー２０２の切換え途中において止水されない（止水機能がない）ことが望ましい。言いかえると、レバー２０２の切換え途中においても第２シャワーヘッド１０５かシャワーシステム１の一方、もしくはその両方に常に通水がされている。
よって、減圧弁等の対策をせずとも、シャワーホース１０３内は正常な水圧を保つことができる。すなわち、切換え弁２０１が止水機能を有していた場合、その止水機能を利用したときに、シャワーホース１０３内の圧力がかかり続ける事になり、シャワーホース１０３が破損してしまう可能性がある。
【００６７】
支持体としての椅子１１は、持ち運ぶことで移動可能である。これにより介助者が被介助者を洗体するときに、介助者が椅子１１を被介助者の近くに移動させることで、浴室内で被介助者が支持体まで移動する必要がなくなる。そのため、被介助者が、浴室内で滑るのを抑えることができる。
【００６８】
なお、本発明の技術的範囲は前記実施形態に限定されるものではなく、本発明の趣旨を逸脱しない範囲において種々の変更を加えることが可能である。
【００６９】
シャワーシステム１は、前記実施形態に示した構成に限られない。
例えば、図１５に示す変形例に係るシャワーシステム１Ｂのように、シャワーシステム１Ｂが、上下両端部が浴室２に固定された支持体１０と、支持体１０に上下動自在に配置された本体４２と、本体４２に回動自在に支持された左右一対のシャワーアーム４３Ａ，４３Ｂと、を備えていてもよい。このシャワーシステム１Ｂは、椅子１１とは独立して設けられており、椅子１１は、支持体１０に対して近づけたり遠ざけたりすることができる。
なおこのシャワーシステム１Ｂでは、支持体１０は、一対の支持部材１０ａを備えている。各支持部材１０ａは、上下方向Ｚに延びる棒状に形成されている。一対の支持部材１０ａは、互いに平行に配置されている。一対の支持部材１０ａの上下両端部は、浴室２の床パネル２ａ（床面）および天井パネル２ｂ（天井）それぞれに固定されている。なお図示の例では、各支持部材１０ａの上下両端部と、床パネル２ａや天井パネル２ｂと、の間には、緩衝板１０ｂが配置されている。一対の支持部材１０ａは、本体４２を上下方向Ｚに貫通している。本体４２は、支持体１０に対して、上下動が許容された第１の状態と、上下動が規制された第２の状態と、を切換え可能に装着されている。
支持部材１０ａの前方、少なくとも５０ｃｍ四方の領域には、カウンターや水栓がない。具体的には、支持部材１０ａ後方側の壁パネルには、カウンターと水栓が設けられていない。よって、支持部材１０ａの前方に椅子１１を置くことができる。
【００７０】
なおこの場合、図１６に示すように、シャワーアーム４３Ａ，４３Ｂが立位の使用者Ｐに対して上方に位置可能な程度、本体４２が上昇可能である場合、座位の使用者Ｐのみならず、立位の使用者Ｐに対しても、シャワー浴を実施することができる。
また例えば図１７に示すように、支持体１０の下端部を浴槽３の縁に固定した場合などには、浴槽３内で入浴中の使用者Ｐに対してシャワー浴を実施することができる。
【００７１】
さらに例えば、図１８に示す変形例に係るシャワーシステム１Ａのように、シャワーシステム１Ａが、支持体１０に上下動自在に配置された座部４を備えてもよい。座部４は、支持体１０に上下動自在に配置されている。座部４は、本体４２よりも下方に位置している。座部４の上面（座面）には使用者Ｐが着座可能である。
【００７２】
なお、支持部材１０ａは必ずしも浴室２の上下端に固定されている必要はない。例えば、支持部材１０ａの上端が天井パネル２ｂに固定されているが、前記壁パネルの上端に固定されていてもよい。支持部材１０ａの下端が床パネル２ａに固定されているが、前記壁パネルの下端に固定されていてもよい。
浴室２は、ユニットバスでもよいし、在来工法による浴室であってもよい。
【００７３】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００７４】
１、１Ａ、１Ｂ シャワーシステム
２     浴室
１０   支持体
１１   椅子（支持体）
４３Ａ、４３Ｂ シャワーアーム
１０１ シャワーヘッド
１０３ シャワーホース
１０４ 第１シャワーヘッド
１０５ 第２シャワーヘッド
２０１ 切換え弁
３０１ 接続ホース
【図１】
2019202129.tif 000003
【図２】
2019202129.tif 000004
【図３】
2019202129.tif 000005
【図４】
2019202129.tif 000006
【図５】
2019202129.tif 000007
【図６】
2019202129.tif 000008
【図７】
2019202129.tif 000009
【図８】
2019202129.tif 000010
【図９】
2019202129.tif 000011
【図１０】
2019202129.tif 000012
【図１１】
2019202129.tif 000013
【図１２】
2019202129.tif 000014
【図１３】
2019202129.tif 000015
【図１４】
2019202129.tif 000016
【図１５】
2019202129.tif 000017
【図１６】
2019202129.tif 000018
【図１７】
2019202129.tif 000019
【図１８】
2019202129.tif 000020